(57)【要約】      （修正有）【課題】建造物等の高さのある内壁面、床下材等に適合する長さに接合でき、且つ外観の意匠性および安全性の高いパネル板を提供する。【解決手段】一方のパネル板１２の長尺方向の端部水平面に長尺方向に切り込み内側位置に形成した首部１２ｂと連続して外側位置となるように形成した大径部を有する湾曲形状凸部１２ｃと、該湾曲形状凸部に連続して同形状に切り込んだ相似形の湾曲形状凹部１２ｄとを複数連続して形成してなる嵌め合い接合部１３を設けると共に、他方のパネル板１４の前記一方のパネル板１２の端部水平面に対向する端部水平面にも前記一方のパネル板１２に形成した嵌め合い接合部１３と僅かに位相をずらして形成した同形状の湾曲形状凸部１４ｃと、湾曲形状凹部１４ｄからなる嵌め合い接合部１３を設け、接着剤を介して嵌め合い接合し、接合した両パネル板の少なくとも一方の表面部には化粧層１６を接着剤で積層させた。【選択図】図６
0003147166.tif 000002
【実用新案登録請求の範囲】
【請求項１】
一方のパネル板と他方のパネル板の長尺方向の端部同士を接合して長尺パネル板を構成するようにした端部水平面に嵌め合い接合部を備えたパネル板において、前記一方のパネル板の長尺方向の端部水平面に長尺方向に切り込み形成した内側位置の首部と連続して外側位置に形成した大径部を有する湾曲形状凸部と、該湾曲形状凸部に連続して、前記湾曲形状凸部と同形状に切り込んだ相似形の湾曲形状凹部とを複数連続して形成してなる嵌め合い接合部を設けると共に、他方のパネル板の前記一方のパネル板の端部水平面に対向する端部水平面に前記一方のパネル板に形成した嵌め合い接合部と僅かに位相をずらして形成した同形状の首部と、湾曲形状凸部及び湾曲形状凹部からなる嵌め合い接合部を設け、両パネル板同士の嵌め合い接合時には一方のパネル板の端部水平面に形成した前記湾曲形状凸部を他方のパネル板の湾曲形状凹部に接着剤を介して嵌め合い接合し、接合した両パネル板の少なくとも一方の表面部には化粧層を接着剤で積層させたことを特徴とする端部水平面に嵌め合い接合部を備えたパネル板。
【請求項２】
前記両パネル板の長手方向の両端部水平面にそれぞれ嵌め合い接合部を形成したことを特徴とする請求項１に記載の端部水平面に嵌め合い接合部を備えたパネル板。
【請求項３】
前記パネル板は、合板、パネル状の耐火性の集成材、不燃化粧パネル、パーティクルボード、ファイバーボード及びＭＤF等からなる群から選択された扁平状のパネル板であることを特徴とする請求項１または２に記載の端部水平面に嵌め合い接合部を備えたパネル板。
【考案の詳細な説明】
【技術分野】
【０００１】
本考案は、住宅の天井パネルやホテル建造物等の高さのある内壁面、床下材等に使用されるパネル板のたて継ぎに係る端部水平面に嵌め合い接合部を備えたパネル板に関するものである。
【背景技術】
【０００２】
一般住宅の天井パネルやホテル建造物等の高さのある内壁面、床下材等に使用される不燃化粧パネル等のパネル板は、長さ方向が規格された定寸法であるため、規格以上の長さを有する壁面等には、前記規格化された定寸法のパネル板の端部水平面をそれぞれたて継ぎ接合して得られる長尺用のパネル板を用いて施工している。
【０００３】
たて継ぎ接合するためのパネル板の端部水平面同士の接合方式には、従来スカーフジョイント方式、パットジョイント方式、フィンガージョイント方式が知られている。
【特許文献１】特開２００１−３１１２５５号公報
【考案の開示】
【考案が解決しようとする課題】
【０００４】
前記スカーフジョイント方式によれば、図１に示すようにそれぞれのパネル板１，２の端部水平面同士の接合面１ａ，２ａを一方のパネル板１の裏面に形成した傾斜面１ｂと、この傾斜面１ｂとは逆傾斜２ｂを形成した他方のパネル板２端部水平面を傾斜面１ｂと傾斜面２ｂ同士が重なるように接着剤によって接合して長尺のパネル板３として長尺パネル板として壁面等への使用を可能としている。
【０００５】
しかるに、前記パネル板１，２の端部水平面に形成した傾斜面１ｂ，２ｂ同士が重なるように接着剤によって接合して長尺のパネル板３とする工程において、前記接合部をプレスなどにより長時間押圧した場合に、接合部にずれが発生して接合させた面に段差ができるという不具合があった。
【０００６】
また、パットジョイント方式にあっては、図２に示すように、パネル板４，５の木口面同士の接着により接合するのであるが、それぞれの木口接合面４ａ，５ａが微視的には凸凹となって穴だらけとなっているため、有効な接着面積が小さく木質細胞内孔に接着剤が吸い込まれやすく、均一で強固な接着強度を備えた長尺パネル板６が得られない問題がある。
【０００７】
また、パネル板４，５の端部水平面同士の接合部が中央となるように補強板をパネル板４，５の表面、裏面側に配設し、互いにパネル板４，５の端部同士を当接させてから前記補強板７，８によりサンドイッチ状態に積層して接着剤により接合するようにしている。
【０００８】
このような接合方法にあっては、接着剤が多量に使用され、且つ補強板７，８をパネル板４，５の両面に配設しなければならず、作業工程も多く掛かりコスト的に高価になっている。
【０００９】
また、図３に示すように、フィンガージョイント方式によれば、図３に示すように、パネル板９，１０の接合部９ａ，１０ａに櫛状部を形成し、互いの櫛状部の部分同士を結合して接着剤により接合して長尺パネル板１１とするので、大きな接着面積が得られることで比較的高い接合強度が得られるためパネル板のたて継ぎ技術として利用されている現状にある。
【００１０】
本考案の目的は、前記パネル板の端部水平面同士の接合部を少ない接着剤で容易に分離しにくくし、一般住宅の天井パネルやホテル建造物等の高さのある内壁面、床下材等に適合する長さに接合でき、且つ外観の意匠性および安全性の高い端部水平面に嵌め合い接合部を備えたパネル板を提供するものである。
【課題を解決するための手段】
【００１１】
前記目的を達成するために本考案の請求項１に記載の考案は、一方のパネル板と他方のパネル板の長尺方向の端部同士を接合して長尺パネル板を構成するようにした端部水平面に嵌め合い接合部を備えたパネル板において、前記一方のパネル板の長尺方向の端部水平面に長尺方向に切り込み形成した内側位置の首部と連続して外側位置に形成した大径部を有する湾曲形状凸部と、該湾曲形状凸部に連続して、前記湾曲形状凸部と同形状に切り込んだ相似形の湾曲形状凹部とを複数連続して形成してなる嵌め合い接合部を設けると共に、他方のパネル板の前記一方のパネル板の端部水平面に対向する端部水平面に前記一方のパネル板に形成した嵌め合い接合部と僅かに位相をずらして形成した同形状の首部と、湾曲形状凸部及び湾曲形状凹部からなる嵌め合い接合部を設け、両パネル板同士の嵌め合い接合時には一方のパネル板の端部水平面に形成した前記湾曲形状凸部を他方のパネル板の湾曲形状凹部に接着剤を介して嵌め合い接合し、接合した両パネル板の少なくとも一方の表面部には化粧層を接着剤で積層させたことを特徴とする。
請求項２に記載の考案は、請求項１に記載の端部水平面に嵌め合い接合部を備えたパネル板において、前記両パネル板の長手方向の両端部水平面にそれぞれ嵌め合い接合部を形成したことを特徴とする。
請求項３に記載の考案は、請求項１または２に記載の端部水平面に嵌め合い接合部を備えたパネル板において、前記パネル板は、合板、パネル状の耐火性の集成材、、不燃化粧パネル、パーティクルボード、ファイバーボード及びＭＤＦなどからなる群から選択された扁平状のパネル板であることを特徴とする。
【考案の効果】
【００１２】
本考案の嵌め合い接合部を備えたパネル板によれば、前記パネル板の端面部同士の接合部を少ない接着剤で容易に分離しにくくし、一般住宅の天井パネルやホテル建造物等の高さのある内壁面、床下材等に適合する長さに接合でき、且つ外観の意匠性および安全性の高い端面に嵌め合い接合部を備えたパネル板を提供できる。
【００１３】
また、従来のように接合時の圧締時間を短縮して生産効率を改善すると共に接合部にずれが発生するようことがなく、且つ接合面に段差の無い所望長さのパネル板を形成できる効果がある。
【００１４】
また、パネル板の収納保管には、長尺状パネル板を保管することなく、短尺状のパネル板を保管することが可能となるので、保管が容易である。
【考案を実施するための最良の形態】
【００１５】
次に、本考案に係る端部水平面に嵌め合い接合部を備えたパネル板の実施の形態について、図面を参照して説明する．
図４は本考案にかかる端部水平面に嵌め合い接合部を備えたパネル板の第１実施形態を示す要部斜視図、図５は本考案の端部水平面に嵌め合い接合部を備えたパネル板の分解斜視図、図６は本考案の端部水平面に嵌め合い接合部を備えたパネル板を嵌合接合した状態を示す一部切欠き平面図、図７は本考案の端部水平面に嵌め合い接合部を備えたパネル板の変形例を示す平面図である。
【００１６】
図４及び図５において、１２，１４は合板、耐火性の集成材、不燃化粧パネル、パーティクルボ−ド、ファイバーボード、ＭＤＦ（中密度繊維板）などからなる扁平なパネル板である。本考案の実施の形態では、不燃化粧パネルを用いたパネル板１２，１４について以下説明する。
【００１７】
前記パネル板１２，１４は一般的には出来合品の規格寸法があり三六板（幅９１０ｍｍ、長さ１８２０ｍｍのもの、或いは四八板（幅１２１０ｍｍ、長さ２４２０ｍｍ）であって、長尺方向の端部水平面１１２ａには首部１２ｂより大径部を有する水平な湾曲形状凸部１２ｃと、該水平な湾曲形状凸部１２ｃに連続して、前記水平な湾曲形状凸部１２ｃ形状と同形状に切り込んだ相似形の湾曲形状凹部１２ｄからなる嵌め合い接合部１３を連続して形成してある。
【００１８】
また、前記一方のパネル板１２に接合される他方のパネル板１４は、前記一方のパネル板１２と同一形状で且つ同材質のパネル板であって、前記一方のパネル板１２の長尺方向の端部に対向する端部水平面１４ａには、前記一方のパネル板１２の端部に形成した水平な湾曲形状凸部１２ｃと、該水平な湾曲形状凸部１２ｃとは僅かに位相をずらして連続形成した水平な湾曲形状凸部１４ｃと、該水平な湾曲形状凸部１４ｃに連続して、前記水平な湾曲形状凸部１４ｃの形状と同形状に切り込んだ相似形の湾曲形状凹部１４ｄからなる嵌め合い接合部１３が設けられている。
【００１９】
従って、一方のパネル板１２と他方のパネル板１４の端部水平面同士の接合時には一方のパネル板１２の端部水平面１２ａに形成した複数の前記水平な湾曲形状凸部１２ｃを他方のパネル板１４の端部水平面１４ａに形成した複数の湾曲形状凹部１４ｄに接着剤１４を介して嵌め合い接合することで、伸張されたパネル板１５を構成することができる。また、接合されて伸張されたパネル板１５には、図５に示すように、パネル板１５の両表面或いは少なくとも一方の表面となる表面部に防火処理を施した突き板、模様を付した紙または布、或いはプラスチックフィルム等の化粧層１６を接着剤で積層させたものである。
【００２０】
前記本考案の実施の形態によれば、パネル板１２，１４同士の端部水平面に形成した嵌め合い接合部は、互いの接合部が凹凸形状となっているため、長手水平方向への抜け止めが確実になされるため、施工中の接合部の破断等の不具合が解消さる。また、従来の接合パネル板のように、端面水平部に生じるような段差もなく平坦なパネル板とすることが可能であり、外観の意匠性に優れたパネル板を提供できる。
【００２１】
上述のような図４〜６に示す前記パネル板の端部水平面には一方の端部水平面とこれに対向する他方のパネル板の対向端部水平面側にのみ嵌合い用の湾曲状の凹凸部形状を形成した構成について説明したが、これに限定されることなく、図７に示すように一方のパネル板１８の両端面１８ａ，１８ｂにそれぞれ嵌合い用の湾曲形状の凹凸状に形成した嵌め合い接合部を有する構成とすることで、定尺に満たない短尺の複数のパネル板１８を用いて、長尺のパネル板として使用することが可能となる。
【図面の簡単な説明】
【００２２】
【図１】従来における合板のたて継ぎ状態を示すスカーフジョイント方式の説明図。
【図２】従来における合板のたて継ぎ状態を示すフィンガージョイント方式の説明図。
【図３】従来における合板のたて継ぎ状態を示すフィンガージョイント方式の説明図。
【図４】本考案の端部水平面に嵌め合い接合部を備えたパネル板の実施形態を示す要部斜視図。
【図５】本考案の端部水平面に嵌め合い接合部を備えたパネル板の分解斜視図。
【図６】本考案の端部水平面に嵌め合い接合部を備えたパネル板を嵌合接合した状態を一部切欠き平面図。
【図７】本考案の端部水平面に嵌め合い接合部を備えたパネル板の変形例を示す平面図。
【符号の説明】
【００２３】
１，２      パネル板
１ａ，２ａ  接合面
１ｂ，２ｂ  傾斜面
３          長尺パネル板
４，５      パネル板
４ａ，５ａ  接合面
６          長尺パネル板
７，８      補強板
１２        一方のパネル板
１２ａ      端部水平面
１２ｂ      首部
１２ｃ      水平な湾曲形状凸部
１２ｄ      水平な湾曲形状凹部
１３        嵌め合い接合部
１４        他方のパネル板
１４ａ      端部水平面
１４ｂ      首部
１４ｃ      水平な湾曲形状凸部
１４ｄ      水平な湾曲形状凹部
１５        長尺パネル板
１６        化粧層
【図１】
0003147166.tif 000003
【図２】
0003147166.tif 000004
【図３】
0003147166.tif 000005
【図４】
0003147166.tif 000006
【図５】
0003147166.tif 000007
【図６】
0003147166.tif 000008
【図７】
0003147166.tif 000009